(57)【要約】【課題】高い定着力を有し、コンクリートからの抜け出しを防止することができると共に、不要時に容易に撤去することができるあと施工アンカーを提供する。【解決手段】基部２１の先端側に先端に向かって漸次拡径するテーパ部２２が設けられているインナー部材２と、先端側にテーパ部２２の入り込みで拡張する拡張片３３が設けられ、後端側に雌ねじ３４が形成されているスリーブ３を備え、インナー部材２に後端面２３で開口する雌ねじ穴２４が設けられ、雌ねじ穴２４に取付ボルト４を螺合可能であるあと施工アンカー１。【選択図】図２
2020148045.tif 000002
【特許請求の範囲】
【請求項１】
基部の先端側に先端に向かって漸次拡径するテーパ部が設けられているインナー部材と、
先端側に前記テーパ部の入り込みで拡張する拡張片が設けられ、後端側に雌ねじが形成されているスリーブを備え、
前記インナー部材に後端面で開口する雌ねじ穴が設けられ、前記雌ねじ穴に取付ボルトを螺合可能であることを特徴とするあと施工アンカー。
【請求項２】
前記インナー部材の前記雌ねじ穴よりも先端側に、前記インナー部材を孔奥に押し込む押込棒を係合可能な係合部が設けられていることを特徴とする請求項１記載のあと施工アンカー。
【請求項３】
請求項１又は２記載のあと施工アンカーの設置構造であって、
前記インナー部材の前記テーパ部の入り込みで前記拡張片が拡張されて前記あと施工アンカーがコンクリートの穿孔に打設され、
前記インナー部材の前記雌ねじ穴に螺着された取付ボルトに対する取付ナットの締付で前記拡張片が追従拡張されていることを特徴とするあと施工アンカーの設置構造。
【請求項４】
請求項１又は２記載のあと施工アンカーの施工方法であって、
コンクリートの穿孔に前記あと施工アンカーを挿入し、前記スリーブを打ち込んで前記テーパ部を前記拡張片に入り込ませて前記拡張片を拡張させる第１工程と、
前記インナー部材の前記雌ねじ穴に取付ボルトを螺合する第２工程と、
前記取付ボルトに対する取付ナットの締付で前記インナー部材を前記穿孔の孔口側に引っ張り、前記拡張片を追従拡張する第３工程を備えることを特徴とするあと施工アンカーの施工方法。
【請求項５】
請求項１又は２記載のあと施工アンカーが、前記インナー部材の前記テーパ部の入り込みで前記拡張片が拡張されてコンクリートの穿孔に打設され、前記インナー部材の前記雌ねじ穴に螺着された前記取付ボルトに対する取付ナットの締付で前記拡張片が追従拡張されている構造からあと施工アンカーを撤去する方法であって、
雌ねじ穴が貫通形成され、少なくとも先端側に雄ねじが設けられているアタッチメントの前記雄ねじを、前記スリーブの雌ねじに螺着し、抜出用ボルトの雄ねじを前記アタッチメントの雌ねじ穴に螺入して前記抜出用ボルトの先端を前記インナー部材に当接する第１工程と、
前記抜出用ボルトの先端で前記インナー部材を押しながら前記抜出用ボルトを回転させることにより、前記アタッチメントと螺着された前記スリーブを抜き出す第２工程を備えることを特徴とするあと施工アンカーの撤去方法。
【請求項６】
前記インナー部材の前記雌ねじ穴よりも先端側に係合部が設けられている前記あと施工アンカーを撤去する際に、
前記第１工程より前に、押込棒を前記係合部に係合し、前記インナー部材を孔奥に押し込む工程を行うことを特徴とする請求項５記載のあと施工アンカーの撤去方法。
【発明の詳細な説明】
【技術分野】
【０００１】
本発明は、既設のコンクリートに穿孔して打設されるあと施工アンカー及びその設置構造に関する。
【背景技術】
【０００２】
既設のコンクリートに穿孔して打設されるあと施工アンカーとして、本体打込式アンカーと、スリーブ打込式アンカーが用いられている。本体打込式アンカー２００は、図９（ａ）、（ｂ）に示すように、先端側に拡張片２０２、後端側に雌ねじ２０３が形成された略筒状の本体２０１と、本体２０１の先端側に配置される先端コーン２０４から構成され、先端コーン２０４で拡張片２０２を拡張してコンクリート２１０に形成された穿孔２１１に打設される。打設された本体打込式アンカー２００の雌ねじ２０３には取付ボルト２０５を螺合し、コンクリート２１０から突出する取付ボルト２０５の部分に取付物２２０を外挿し、例えばワッシャー２０６を介してナット２０７を取付ボルト２０５に螺入して、取付物２２０が取り付けられる。
【０００３】
本体打込式アンカー２００は、取付ボルト２０５を外してしまえばコンクリート２１０からの突出部分が無くなるので、仮設アンカーとして利便性に優れる。更に、本体打込式アンカー２００の本体２０１自体を撤去したい場合には、特許文献１、２のように、先端コーン２０４で反力を取りながら本体２０１を引き抜いて撤去することが可能である。
【０００４】
また、スリーブ打込式アンカー３００は、図９（ｃ）、（ｄ）に示すように、先端側に拡張片３０２が形成されたスリーブ３０１と、先端側にテーパ部３０４、後端側に雄ねじ部３０５が形成されたテーパボルト３０３とから構成され、テーパ部３０４で拡張片３０２を拡張してコンクリート３１０に形成された穿孔３１１に打設される。打設されたスリーブ打込式アンカー３００のテーパボルト３０３のコンクリート３１０から突出する部分には、取付物３２０を外挿し、例えばワッシャー３０６、スプリングワッシャー３０７を介してナット３０８を雄ねじ部３０５に螺入し、取付物３２０が取り付けられる。
【先行技術文献】
【特許文献】
【０００５】
【特許文献１】特開２００３−１０６３２３号公報
【特許文献２】特開２０１５−７１２１６号公報
【発明の概要】
【発明が解決しようとする課題】
【０００６】
ところで、本体打込式アンカーは、取付ボルトが螺着される略筒状の本体と、先端コーンが別部材であるため、取付ボルトに荷重が負荷されても先端コーンは引っ張られずに本体だけに引抜方向の力が作用する。そのため、撤去時には本体を引き抜いて撤去することが可能であるが、拡張片からの先端コーンの抜け出しが発生し、本体がコンクリートから抜け出してしまう可能性が高くなる。
【０００７】
これに対して、スリーブ打込式アンカーは、テーパボルトのテーパ部がスリーブ内に引き込まれて拡張片が拡張するため、テーパボルトに荷重が負荷されればテーパ部がスリーブ内により引き込まれて拡張力が生じ、定着力が増すことになる。しかしながら、スリーブ打込式アンカーでは、コンクリートへのアンカー打設、取付物の設置が不要になった場合、ナット・ワッシャー・取付物を外しても、テーパボルトはそのままコンクリートに残置され、コンクリートから出っ張って邪魔な状態ともなる。一旦打ち込まれたスリーブ打込式アンカーを撤去しようとすると、スリーブ打込式アンカーの引抜強度以上の荷重で抜くことが必要になるため、コンクリートが破壊されてしまう可能性が高い。そのため、コンクリートからの抜け出しを防止できると共に、不要時に容易に撤去することができるあと施工アンカーが求められている。
【０００８】
本発明は上記課題に鑑み提案するものであり、高い定着力を有し、コンクリートからの抜け出しを防止することができると共に、不要時に容易に撤去することができるあと施工アンカー及びその設置構造を提供することを目的とする。
【課題を解決するための手段】
【０００９】
本発明のあと施工アンカーは、基部の先端側に先端に向かって漸次拡径するテーパ部が設けられているインナー部材と、先端側に前記テーパ部の入り込みで拡張する拡張片が設けられ、後端側に雌ねじが形成されているスリーブを備え、前記インナー部材に後端面で開口する雌ねじ穴が設けられ、前記雌ねじ穴に取付ボルトを螺合可能であることを特徴とする。
これによれば、インナー部材の雌ねじ穴に取付ボルトを螺合することにより、取付ボルトに荷重が負荷されればテーパ部が拡張片により引き込まれて拡張力が生じ、定着力を増すことができる。従って、本体打込式アンカーの先端コーンの抜け出しのような事態が無く、高い定着力を発揮して、コンクリートからの抜け出しを防止できる信頼性の高いあと施工アンカーとすることができる。また、あと施工アンカーの設置構造であと施工アンカーが不要になった際には、スリーブの雌ねじを利用してスリーブを引き抜くことができ、不要時に容易に撤去することができる。従って、あと施工アンカーの設置のためにコンクリートに形成された穿孔を再利用することも可能となる。
【００１０】
本発明のあと施工アンカーは、前記インナー部材の前記雌ねじ穴よりも先端側に、前記インナー部材を孔奥に押し込む押込棒を係合可能な係合部が設けられていることを特徴とする。
これによれば、押込棒を係合部に係合してインナー部材を孔奥に押し込むことにより、スリーブの拡張片に対するインナー部材の入り込みを外す或いは押圧状態を緩めることができ、より簡単且つ確実にスリーブを引き抜くことができる。
【００１１】
本発明のあと施工アンカーの設置構造は、本発明のあと施工アンカーを設置する構造であって、前記インナー部材の前記テーパ部の入り込みで前記拡張片が拡張されて前記あと施工アンカーがコンクリートの穿孔に打設され、前記インナー部材の前記雌ねじ穴に螺着された取付ボルトに対する取付ナットの締付で前記拡張片が追従拡張されていることを特徴とする。
これによれば、取付ボルトの取付ナットによる締付でインナー部材が引き寄せられ、インナー部材のテーパ部が拡張片により引き込まれて追従拡張されるので、通常の設置状態でもより高い定着力を得ることができ、アンカー全体の剛性を非常に高めることができる。また、取付ボルトに荷重が負荷されて取付ボルトが引っ張られた際の耐性をより増すことができる。
【００１２】
本発明のあと施工アンカーの施工方法は、本発明のあと施工アンカーを施工する方法であって、コンクリートの穿孔に前記あと施工アンカーを挿入し、前記スリーブを打ち込んで前記テーパ部を前記拡張片に入り込ませて前記拡張片を拡張させる第１工程と、前記インナー部材の前記雌ねじ穴に取付ボルトを螺合する第２工程と、前記取付ボルトに対する取付ナットの締付で前記インナー部材を前記穿孔の孔口側に引っ張り、前記拡張片を追従拡張する第３工程を備えることを特徴とする。
これによれば、スリーブの打ち込みでインナー部材のテーパ部を拡張片に入り込ませて拡張片を拡張させることに加え、取付ボルトの取付ナットによる締付でインナー部材を穿孔の孔口側に引き寄せ、インナー部材のテーパ部を拡張片により引き込んで拡張片を追従拡張することができる。従って、設置されたあと施工アンカーは通常の設置状態でもより高い定着力を得ることができ、アンカー全体の剛性を非常に高めることができる。また、取付ボルトに荷重が負荷されて取付ボルトが引っ張られた際の耐性をより増すことができる。
【００１３】
本発明のあと施工アンカーの撤去方法は、本発明のあと施工アンカーが、前記インナー部材の前記テーパ部の入り込みで前記拡張片が拡張されてコンクリートの穿孔に打設され、前記インナー部材の前記雌ねじ穴に螺着された前記取付ボルトに対する取付ナットの締付で前記拡張片が追従拡張されている構造からあと施工アンカーを撤去する方法であって、雌ねじ穴が貫通形成され、少なくとも先端側に雄ねじが設けられているアタッチメントの前記雄ねじを、前記スリーブの雌ねじに螺着し、抜出用ボルトの雄ねじを前記アタッチメントの雌ねじ穴に螺入して前記抜出用ボルトの先端を前記インナー部材に当接する第１工程と、前記抜出用ボルトの先端で前記インナー部材を押しながら前記抜出用ボルトを回転させることにより、前記アタッチメントと螺着された前記スリーブを抜き出す第２工程を備えることを特徴とする。
これによれば、抜出用ボルトの先端でインナー部材を押しながら抜出用ボルトを回転させることにより、簡単にスリーブを抜き出すことができる。
【００１４】
本発明のあと施工アンカーの撤去方法は、前記インナー部材の前記雌ねじ穴よりも先端側に係合部が設けられている前記あと施工アンカーを撤去する際に、前記第１工程より前に、押込棒を前記係合部に係合し、前記インナー部材を孔奥に押し込む工程を行うことを特徴とする。
これによれば、押込棒を係合部に係合し、インナー部材を孔奥に押し込むことにより、スリーブの拡張片に対するインナー部材の入り込みを外す或いは押圧状態を緩めることができ、より簡単且つ確実にスリーブを引き抜くことができる。
【発明の効果】
【００１５】
本発明によれば、高い定着力を有し、コンクリートからの抜け出しを防止することができると共に、不要時に容易に撤去することができるあと施工アンカーを得ることができる。
【図面の簡単な説明】
【００１６】
【図１】（ａ）は本発明による第１実施形態のあと施工アンカーの正面図、（ｂ）は第１実施形態のあと施工アンカーの縦断面図、（ｃ）は第１実施形態のあと施工アンカーの取付に用いられる取付ナット、ワッシャー、取付ボルトを示す正面図。
【図２】（ａ）〜（ｅ）は第１実施形態のあと施工アンカーを打設する工程を説明する断面説明図。
【図３】（ａ）は第１実施形態のあと施工アンカーの撤去工程で用いる押込棒の正面図、（ｂ）はその撤去工程で用いるアタッチメントの正面図、（ｃ）はその撤去工程で用いるアタッチメントの縦断面図、（ｄ）はその撤去工程で用いる抜出用ボルトの正面図。
【図４】（ａ）〜（ｅ）は第１実施形態のあと施工アンカーを撤去する工程の前半工程を説明する断面説明図。
【図５】（ａ）〜（ｄ）は第１実施形態のあと施工アンカーを撤去する工程の後半工程を説明する断面説明図。
【図６】（ａ）は本発明による第２実施形態のあと施工アンカーの正面図、（ｂ）は第２実施形態のあと施工アンカーの縦断面図。
【図７】第２実施形態のあと施工アンカーの撤去工程で用いる押込棒の正面図。
【図８】（ａ）〜（ｅ）は第２実施形態のあと施工アンカーを打設する工程と撤去する工程を説明する断面説明図。
【図９】（ａ）は従来の本体打込式アンカーの縦断面図、（ｂ）は従来の本体打込式アンカーによる取付物の取り付けを説明する説明図、（ｃ）は従来のスリーブ打込式アンカーの縦断面図、（ｄ）は従来のスリーブ打込式アンカーによる取付物の取り付けを説明する説明図。
【発明を実施するための形態】
【００１７】
〔第１実施形態のあと施工アンカー〕
本発明による第１実施形態のあと施工アンカー１は、図１に示すように、略円柱形の基部２１の先端側に先端に向かって漸次拡径するテーパ部２２が設けられているインナー部材２と、略円筒状の本体３１の先端側に先端から切り込まれたスリット３２で区分される拡張片３３が設けられ、本体３１の後端側の内周に雌ねじ３４が形成されているスリーブ３を備える。
【００１８】
インナー部材２には、後端面２３で開口する雌ねじ穴２４が設けられ、雌ねじ穴２４に後述する取付ボルト４の外周に形成されている雄ねじ４１を螺合可能になっている。インナー部材２の雌ねじ穴２４よりも先端側には、後述するインナー部材２を孔奥に押し込む押込棒８と引抜用ボルト１０を係合可能な係合部が設けられており、第１実施形態における係合部は略円錐状の係合穴２５で構成され、係合穴２５が雌ねじ穴２４の先端に隣接してテーパ部２２に内設されている。
【００１９】
あと施工アンカー１の拡張片３３が拡張されていない状態では、スリーブ３の拡張片３３にインナー部材２の基部２１が内装され、テーパ部２２の略全体が拡張片３３の先端から先で露出するように配置される。そして、拡張片３３の拡張時には、スリーブ３がインナー部材２の先端に向かって打ち込まれることで、拡張片３３にテーパ部２２が入り込んで拡張片３３が拡張される（図２参照）。
【００２０】
あと施工アンカー１を後述するコンクリート１００に設置して取付物１１０を取り付ける際には、図１（ｃ）に示す取付ボルト４、ワッシャー５、取付ナット６が用いられる。取付ボルト４は全長に亘って外周に雄ねじ４１が形成されている全ねじボルトであり、インナー部材２の雌ねじ穴２４に螺合可能になっている。ワッシャー５は取付ボルト４に外挿可能であり、取付ナット６は取付ボルト４に螺合可能になっている。
【００２１】
第１実施形態のあと施工アンカー１をコンクリート１００に施工して設置する際には、図２（ａ）、（ｂ）に示すように、コンクリート１００に穿孔１０１を形成し、穿孔１０１内を清掃して非拡張状態のあと施工アンカー１をインナー部材２を孔奥側にして穿孔１０１に挿入する。次いで、図２（ｃ）に示すように、スリーブ３の後端面に打込棒７１を当接させ、ハンマー７２で打込棒７１を打ち込むことによってスリーブ３を孔奥側に打ち込み、インナー部材２のテーパ部２２をスリーブ３の拡張片３３に相対的に入り込ませて拡張片３３を拡張させ、拡張片３３を穿孔１０１の孔壁に食い込ませる。
【００２２】
その後、図２（ｄ）、（ｅ）に示すように、インナー部材２の雌ねじ穴２４に取付ボルト４を螺合し、インナー部材２に螺着した取付ボルト４に取付物１１０を外挿し、取付物１１０の外側で取付ボルト４にワッシャー５を外挿し、取付ナット６を取付ボルト４に螺合する。そして、この取付ボルト４に対する取付ナット６の締付で、図２（ｅ）の太線矢印のようにインナー部材２を穿孔１０１の孔口側に引っ張る。このインナー部材２の引っ張りにより、拡張片３３が追従拡張されると共に、インナー部材２の引き上げで穿孔１０１の孔底に空間が生ずる或いは孔底の空間が大きくなる。
【００２３】
このように施工されたあと施工アンカー１の設置構造は、あと施工アンカー１の拡張片３３が、インナー部材２のテーパ部２２の入り込みで拡張され、且つインナー部材２に螺着された取付ボルト４に対する取付ナット６の締付で追従拡張され、あと施工アンカー１にプレロードをかけた構造となり、設置されたあと施工アンカー１の剛性は非常に高くなる。
【００２４】
また、あと施工アンカー１の設置構造からあと施工アンカー１を撤去する場合には、図３（ａ）の押込棒８、図３（ｂ）のアタッチメント９、図３（ｃ）の抜出用ボルト１０が用いられる。押込棒８は、スリーブ３及びインナー部材２の雌ねじ穴２４に挿入可能な径で形成されており、その先端面に係合突起８１が形成されている。係合突起８１は、インナー部材２の係合部に相当する係合穴２５に当接して係合可能であり、係合穴２５に対応する形状で形成され、本例では係合穴２５の略円錐形状に対応して略円錐状に形成されている。
【００２５】
アタッチメント９は、雌ねじ穴９１が貫通形成された略円筒状であり、円筒形の基部９２の先端側の外周に雄ねじ９３が設けられている。抜出用ボルト１０は、軸部１１と頭部１２を有する頭付ボルトであり、軸部１１の後部に雄ねじ１３が形成され、その先端面１４に係合突起１５が形成されている。係合突起１５は、インナー部材２の係合部に相当する係合穴２５に当接して係合可能であり、係合穴２５に対応する形状で形成され、本例では係合穴２５の略円錐形状に対応して略円錐状に形成されている。
【００２６】
そして、あと施工アンカー１の撤去時には、図４（ａ）、（ｂ）に示すように、取付ナット６、ワッシャー５、取付物１１０、取付ボルト４をあと施工アンカー１から外した後、設置されたあと施工アンカー１のスリーブ３及びインナー部材２の雌ねじ穴２４に押込棒８を挿入して、押込棒８の係合突起８１をインナー部材２の係合穴２５に当接して係合し、押込棒８の位置合わせを行う。この状態でハンマー８２で押込棒８を打ち込むことによってインナー部材２を孔奥側に押し込み（図４（ｂ）の太線矢印参照）、インナー部材２とスリーブ３の縁切りを行う或いは縁切りに近い状態にする。
【００２７】
押込棒８を外した後、図４（ｃ）に示すように、アタッチメント９の雄ねじ９３をスリーブ３の雌ねじ３４に螺着してアタッチメント９をスリーブ３に取り付け、更に、図４（ｄ）に示すように、抜出用ボルト１０の雄ねじ１３をアタッチメント９の雌ねじ穴９１に螺入して抜出用ボルト１０の先端をインナー部材２に当接する。本例では、抜出用ボルト１０の先端の係合突起１５が、インナー部材２の係合部に相当する係合穴２５に当接して係合し、位置合わせも行われる。
【００２８】
その後、抜出用ボルト１０の先端で当接するインナー部材２を押しながら、電動工具１５等で抜出用ボルト１０を回転させると、抜出用ボルト１０に対してアタッチメント９及びこれに螺着されたスリーブ３が穿孔１０１の外に上がってきて、アタッチメント９と螺着されたスリーブ３が抜き出される（図４（ｄ）、（ｅ）参照）。この抜出時には、スリーブ３の拡張片３３はスプリングバックして拡張前の形状にほぼ戻り、穿孔径以下の形に窄んだ状態で穿孔１０１から出てくる。
【００２９】
その後、アタッチメント９の雄ねじ９３とスリーブ３の雌ねじ３４との螺合を外して、アタッチメント９と抜出用ボルト１０を取り外し、スリーブ３を穿孔１０１から撤去する（図５（ａ）、（ｂ）参照）。更に、例えば取付ボルト４或いは取付ボルト４の雄ねじ４１と同一の雄ねじが設けられているボルトを用い、雄ねじ４１等を少しインナー部材２の雌ねじ穴２４に螺合し、ボルト毎抜き出す等により、穿孔１０１に残ったインナー部材２を撤去する（図５（ｃ）参照）。そして、空洞になった穿孔１０１は、必要に応じて充填材１６を充填して塞がれるか（図５（ｄ））、或いは同径等の別のあと施工アンカーの打設に再利用される。
【００３０】
第１実施形態によれば、インナー部材２の雌ねじ穴２４に取付ボルト４を螺合することにより、取付ボルト４に荷重が負荷されればテーパ部２２が拡張片３３により引き込まれて拡張力が生じ、定着力を増すことができる。従って、本体打込式アンカーの先端コーンの抜け出しのような事態が無く、高い定着力を発揮して、コンクリート１００からの抜け出しを防止できる信頼性の高いあと施工アンカー１とすることができる。また、あと施工アンカー１の設置構造であと施工アンカー１が不要になった際には、スリーブ３の雌ねじ３４を利用してスリーブ３を引き抜くことができ、あと施工アンカー１を不要時に容易に撤去することができる。従って、あと施工アンカー１の設置のためにコンクリート１００に形成された穿孔１０１を再利用することも可能となる。
【００３１】
また、インナー部材２に押込棒８を係合可能な係合穴２５が設ける構成によれば、押込棒８を係合穴２５に係合してインナー部材２を孔奥に押し込むことにより、スリーブ３の拡張片３３に対するインナー部材２の入り込みを外す或いは押圧状態を緩めることができ、より簡単且つ確実にスリーブ３を引き抜くことが可能となる。
【００３２】
また、あと施工アンカー１の設置構造或いは施工方法では、取付ボルト４の取付ナット６による締付でインナー部材２が引き寄せられ、インナー部材２のテーパ部２２が拡張片３３により引き込まれて追従拡張されるので、通常の設置状態でもより高い定着力を得ることができ、アンカー全体の剛性を非常に高めることができる。また、取付ボルト４に荷重が負荷されて取付ボルト４が引っ張られた際の耐性をより増すことができる。
【００３３】
また、あと施工アンカー１の撤去方法では、抜出用ボルト１０の先端でインナー部材２を押しながら抜出用ボルト１０を回転させることにより、簡単にスリーブ３を抜き出すことができる。また、予め押込棒８を係合穴２５に係合し、インナー部材２を孔奥に押し込んでおく場合には、スリーブ３の拡張片３３に対するインナー部材２の入り込みを外す或いは押圧状態を緩めることができ、より簡単且つ確実にスリーブ３を引き抜くことができる。
【００３４】
〔第２実施形態のあと施工アンカー〕
本発明による第２実施形態のあと施工アンカー１ａは、図６に示すように、略円柱形の基部２１ａの先端側に先端に向かって漸次拡径するテーパ部２２ａが設けられているインナー部材２ａと、第１実施形態と同一構成のスリーブ３を備える。
【００３５】
インナー部材２ａには、後端面２３ａで開口する雌ねじ穴２４ａが設けられ、雌ねじ穴２４ａに第１実施形態と同一構成の取付ボルト４の外周に形成されている雄ねじ４１を螺合可能になっている。インナー部材２ａの雌ねじ穴２４ａよりも先端側には、後述するインナー部材２ａを孔奥に押し込む押込棒８ａを係合可能な係合部が設けられており、第２実施形態における係合部は、雌ねじ穴２４ａよりも小径で形成されている雌ねじ穴２６ａで構成されている。雌ねじ穴２６ａは、雌ねじ穴２４ａの先端に隣接して雌ねじ穴２４ａと連通するようにテーパ部２２ａに内設されている。
【００３６】
あと施工アンカー１ａの拡張片３３が拡張されていない状態では、スリーブ３の拡張片３３にインナー部材２ａの基部２１ａが内装され、テーパ部２２ａの略全体が拡張片３３の先端から先で露出するように配置される。そして、拡張片３３の拡張時には、スリーブ３がインナー部材２ａの先端に向かって打ち込まれることで、拡張片３３にテーパ部２２ａが入り込んで拡張片３３が拡張される（図８（ａ）参照）。
【００３７】
第２実施形態のあと施工アンカー１ａをコンクリート１００に設置して取付物１１０を取り付ける際には、第１実施形態と同一構成の取付ボルト４、ワッシャー５、取付ナット６が用いられる（図８（ａ）参照）。第２実施形態のあと施工アンカー１ａをコンクリート１００に施工して設置する際の工程は、基本的に第１実施形態のあと施工アンカー１をコンクリート１００に施工して設置する工程と同様である。
【００３８】
即ち、コンクリート１００に形成して清掃した穿孔１０１に、非拡張状態のあと施工アンカー１ａをインナー部材２ａを孔奥側にして挿入する。次いで、スリーブ３を孔奥側に打ち込み、インナー部材２ａのテーパ部２２ａをスリーブ３の拡張片３３に相対的に入り込ませて拡張片３３を拡張させ、拡張片３３を穿孔１０１の孔壁に食い込ませる。
【００３９】
その後、インナー部材２ａの雌ねじ穴２４ａに取付ボルト４を螺合し、インナー部材２ａに螺着した取付ボルト４に取付物１１０を外挿し、取付物１１０の外側で取付ボルト４にワッシャー５を外挿し、取付ナット６を取付ボルト４に螺合する。そして、取付ボルト４に対する取付ナット６の締付で、図８（ａ）の太線矢印のようにインナー部材２ａを穿孔１０１の孔口側に引っ張る。このインナー部材２ａの引っ張りにより、拡張片３３が追従拡張される。
【００４０】
また、あと施工アンカー１ａの設置構造からあと施工アンカー１ａを撤去する場合には、図７の押込棒８ａと、第１実施形態と同一構成のアタッチメント９、抜出用ボルト１０が用いられる。押込棒８ａは、スリーブ３及びインナー部材２ａの雌ねじ穴２４ａに挿入可能な径で形成されており、係合部を構成する雌ねじ穴２６ａと螺合可能な雄ねじ８３ａが形成されている。押込棒８ａは、雄ねじ８３ａの雌ねじ穴２６ａとの螺合で雌ねじ穴２６ａと係合するようになっている。尚、図示例の押込棒８ａは頭付ボルトの軸部の全長に亘って雄ねじ８３ａが形成されている構成としたが、雌ねじ穴２６ａの深さと対応する長さ分など、先端から所定長さの一部分に雄ねじ８３ａが形成されたものであれば適用可能である。また、抜出用ボルト１０の先端面１４は、インナー部材２２ａの雌ねじ穴２６ａよりも大径で形成されており、雌ねじ穴２６ａ内に挿入不能になっている。
【００４１】
そして、あと施工アンカー１ａの撤去時には、図８（ｂ）に示すように、取付ナット６、ワッシャー５、取付物１１０、取付ボルト４をあと施工アンカー１ａから外した後、設置されたあと施工アンカー１ａのスリーブ３及びインナー部材２ａの雌ねじ穴２４ａに押込棒８ａを挿入し、押込棒８ａの雄ねじ８３ａをインナー部材２ａの雌ねじ穴２６ａに螺合して係合し、電動工具１５ｍ等で押込棒８ａを回転させることにより、インナー部材２ａを孔奥側に押し込み（図８（ｂ）の太線矢印参照）、インナー部材２ａとスリーブ３の縁切りを行う或いは縁切りに近い状態にする。
【００４２】
押込棒８ａを外した後、図８（ｃ）に示すように、アタッチメント９の雄ねじ９３をスリーブ３の雌ねじ３４に螺着してアタッチメント９をスリーブ３に取り付け、更に、抜出用ボルト１０の雄ねじ１３をアタッチメント９の雌ねじ穴９１に螺入して抜出用ボルト１０の先端をインナー部材２ａに当接する。本例では、抜出用ボルト１０の先端面１４がインナー部材２ａの雌ねじ穴２６ａの開口周縁に突き当たって当接される。
【００４３】
その後、抜出用ボルト１０の先端で当接するインナー部材２ａを押しながら、電動工具１５等で抜出用ボルト１０を回転させると、抜出用ボルト１０に対してアタッチメント９及びこれに螺着されたスリーブ３が穿孔１０１の外に上がってきて、アタッチメント９と螺着されたスリーブ３が抜き出される（図８（ｄ）、（ｅ）参照）。この抜出時には、スリーブ３の拡張片３３はスプリングバックして拡張前の形状にほぼ戻り、穿孔径以下の形に窄んだ状態で穿孔１０１から出てくる。その後は、第１実施形態のあと施工アンカー１と同様の撤去工程を行う。
【００４４】
第２実施形態によれば、第１実施形態と対応する構成から対応する効果を得ることができる。
【００４５】
〔本明細書開示発明の包含範囲〕
本明細書開示の発明は、発明として列記した各発明、各実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記内容や変形例も含まれる。
【００４６】
例えば本発明のあと施工アンカーにおけるインナー部材の押込棒を係合可能な係合部は、第１実施形態の係合穴２５、第２実施形態の雌ねじ穴２６ａ以外にも本発明の趣旨の範囲内で適宜であり、又、インナー部材に孔奥に押し込む押込棒を係合可能な係合部が設けられていない構成も本発明に含まれる。また、インナー部材の後端面で開口する雌ねじ穴は、有底穴状に形成すると好適であるが、係合部を有しない構成等としてインナー部材を軸方向に貫通する貫通穴状とすることも可能である。
【００４７】
また、第１、第２実施形態では、押込棒８、８ａを係合部に相当する係合穴２５、雌ねじ穴２６ａに係合し、インナー部材２、２ａを孔奥に押し込む工程を行ってあと施工アンカー１を撤去する工程について説明したが、この工程を行わずに、アタッチメント９の雄ねじ９３をスリーブ３の雌ねじ３４に螺着し、抜出用ボルト１０の雄ねじ１３をアタッチメント９の雌ねじ穴９１に螺入して抜出用ボルト１０の先端をインナー部材２、２ａに当接する工程を行う撤去方法も本発明に含まれる。
【００４８】
また、本発明のあと施工アンカーは、コンクリートに下向き、上向き或いは横向きで打設して設置構造を構築できるものであり、その打設方向は適宜である。更に、これらの適宜の打設方向で打設され設置されたあと施工アンカーを撤去する方法が本発明に含まれる。また、第１、第２実施形態では、電動工具１５、１５ｍを用いてあと施工アンカー１、１ａを撤去する工程について説明したが、電動工具１５、１５ｍに代えて手工具を用いて撤去工程を行うことも可能である。
【産業上の利用可能性】
【００４９】
本発明は、既設のコンクリートに穿孔してあと施工アンカーを打設する際に利用することができる。
【符号の説明】
【００５０】
１、１ａ…あと施工アンカー  ２、２ａ…インナー部材  ２１、２１ａ…基部  ２２、２２ａ…テーパ部  ２３、２３ａ…後端面  ２４、２４ａ…雌ねじ穴  ２５…係合穴  ２６ａ…雌ねじ穴  ３…スリーブ  ３１…本体  ３２…スリット  ３３…拡張片  ３４…雌ねじ  ４…取付ボルト  ４１…雄ねじ  ５…ワッシャー
６…取付ナット  ７１…打込棒  ７２…ハンマー  ８、８ａ…押込棒  ８１…係合突起  ８２…ハンマー  ８３ａ…雄ねじ  ９…アタッチメント  ９１…雌ねじ穴  ９２…基部  ９３…雄ねじ  １０…抜出用ボルト  １１…軸部  １２…頭部  １３…雄ねじ  １４…先端面  １５…係合突起  １５、１５ｍ…電動工具  １６…充填材  １００…コンクリート  １０１…穿孔  １１０…取付物  ２００…本体打込式アンカー  ２０１…本体  ２０２…拡張片  ２０３…雌ねじ  ２０４…先端コーン  ２０５…取付ボルト  ２０６…ワッシャー  ２０７…ナット  ２１０…コンクリート  ２１１…穿孔  ２２０…取付物  ３００…スリーブ打込式アンカー  ３０１…スリーブ  ３０２…拡張片  ３０３…テーパボルト  ３０４…テーパ部  ３０５…雄ねじ部  ３０６…ワッシャー  ３０７…スプリングワッシャー  ３０８…ナット  ３１０…コンクリート  ３１１…穿孔  ３２０…取付物
【図１】
2020148045.tif 000003
【図２】
2020148045.tif 000004
【図３】
2020148045.tif 000005
【図４】
2020148045.tif 000006
【図５】
2020148045.tif 000007
【図６】
2020148045.tif 000008
【図７】
2020148045.tif 000009
【図８】
2020148045.tif 000010
【図９】
2020148045.tif 000011